(57)【要約】 【課題】パレット等に積載された荷物の荷崩れ防止として荷物群を結束するベルトにおいて、その結束長の調整を容易に実施できるベルトを提供する。【解決手段】連結リング体１で連結される第一ベルト体２と第二ベルト体３で構成され、第一ベルト体が、基端を連結リング体１に連結し、ベルト表面に面ファスナー部材を縫着して設けた折返係着部２１及び受け係着部２２を形成し、第二ベルト体３が、先端に係止用リング体３２を連結すると共に、基端側を連結リング体に挿通して折り返すと共に、ベルト体の途中部分を蛇行挿着した二列孔状の調整金具体３３の中央軸部に、前記折り返し部分の基端を連結してなる。【選択図】図１
0003172417.tif 000002
【実用新案登録請求の範囲】
【請求項１】
連結リング体で連結される第一ベルト体と第二ベルト体で構成され、第一ベルト体が、基端を連結リング体に連結し、ベルト表面における先端側部分に、雄面ファスナー部材又は雌面ファスナー部材のいずれかを縫着して折返係着部を形成し、基端側部分に先端側と逆の面ファスナー部材を縫着して受け係着部を形成してなり、第二ベルト体が、先端に係止用リング体を連結すると共に、基端側を連結リング体に挿通して折り返すと共に、ベルト体の途中部分を蛇行挿着した二列孔状の調整金具体の中央軸部に、前記折り返し部分の基端を連結してなることを特徴とする荷崩れ防止ベルト。
【請求項２】
第一ベルトの全長を１ｍ以下とし、折返係着部をその１／３としてなり、第二ベルト体の調整金具体を基端側に移動させてベルトを最大長した際に、ベルト全体の長さが６．７ｍ以上となるようにしてなる請求項１記載の荷崩れ防止ベルト。
【考案の詳細な説明】
【技術分野】
【０００１】
本考案は、パレットなどに積載された荷物が崩れるのを防止するための荷崩れ防止ベルトに関するものである。
【背景技術】
【０００２】
パレット等に積載された荷物の荷崩れ防止手段として、積載荷物の周囲を一体に結束する荷崩れ防止ベルトが従来より知られており、このベルトの係止構造としては、種々の構造の物が知られているが、特に、ベルト体の一端に係止用リング体を装着し、他端を係止用リング体に挿通して折り返し、折り返しベルト部の対向する面に、面ファスナーを設けてなるベルトは、接合面積（面ファスナーの係着面積）によって接合強度を容易に設定でき、更に単に接合面を押圧するのみでベルト結束ができるので、その作業性に優れている。
【０００３】
ところで、パレットに積載される荷物が必ずしも一定の大きさとは限らず、荷物サイズが異なる場合があり、また積載時に一隅の荷物が欠ける場合などがあり、ベルトの結束長（結束されるべき積載荷物の周囲長さ）が一定であるとは限らない。従って荷崩れ防止用ベルトは、結束長の変化に対応できる構造を備える必要がある。
【０００４】
前記した面ファスナーを採用したベルトにおける対策として、特許文献１（特開２００４−１８９２９２号公報）に、面ファスナーの構成を、先端側が短い雌面ファスナー部材を設け、それに続く雄面ファスナー部材を十分に長く設けて、折り返された雌面ファスナー部材面の係着範囲を広くして結束長の変化に対応する構成が示されている。
【０００５】
また特許文献２（特開２００２−３３２０６１号公報）には、係止用リング体を、ベルト体の端部に設ける他、ベルト端より少し離れた位置に第二、第三の係止用リング体を設け、折り返し用のベルト端部を何れかの係止用リング体を選択して折り返して係止することで、結束長の変化に対応する構成が示されている。
【先行技術文献】
【特許文献】
【０００６】
【特許文献１】特開２００４−１８９２９２号公報。
【特許文献２】特開２００２−３３２０６１号公報。
【考案の概要】
【考案が解決しようとする課題】
【０００７】
ベルト一端に係止用リング体を設け、他端に面ファスナーを設けた荷崩れ防止ベルトにおいて、結束長の調整のために面ファスナー部分を長く形成する構成では、接合に使用されない面ファスナー部分が大半を占めることになり、材料の無駄が多いといえる。
【０００８】
また係止用リング体を多段に設けて結束長を調整する手段も、結束長の段階的調整に限定されるし、結束長の調整範囲を大きくするには、それに伴って係止用リング体の形成段数も多くしなければならないという問題がある。
【０００９】
そこで本考案は、折り返し係着で係止する面ファスナー部分を大きく形成する必要なく、簡単に結束長の調整が可能な荷崩れ防止ベルトを提案したものである。
【課題を解決するための手段】
【００１０】
本考案に係る荷崩れ防止ベルトは、連結リング体で連結される第一ベルト体と第二ベルト体で構成され、第一ベルト体が、基端を連結リング体に連結し、ベルト表面における先端側部分に、雄面ファスナー部材又は雌面ファスナー部材のいずれかを縫着して折返係着部を形成し、基端側部分に先端側と逆の面ファスナー部材を縫着して受け係着部を形成してなり、第二ベルト体が、先端に係止用リング体を連結すると共に、基端側を連結リング体に挿通して折り返すと共に、ベルト体の途中部分を蛇行挿着した二列孔状の調整金具体の中央軸部に、前記折り返し部分の基端を連結してなることを特徴とするものである。
【００１１】
而して、上記ベルトの第二ベルト体は、調整金具体の挿着位置を移動させることで、ベルト長を調整することができるので、ベルトの使用対象（パレットＡ等に積載された荷物群Ｂ）の結束長に対応して、調整金具体を概ねの位置にずらし、その後荷物群Ｂにベルトを回し、第一ベルト体を係止用リング体に挿通して折り返し、折返係着部を受け係着部と接合させてベルトによる荷物群Ｂの結束を実現するものである。
【考案の効果】
【００１２】
本考案は上記の構成のとおりで、ベルトでの荷物群の結束前に、荷物群の大きさ（結束長）に合わせて予めベルト長を容易に調整することができ、而も無段階調整となり、その作業は容易に一人で行うことができるものである。
【図面の簡単な説明】
【００１３】
【図１】本考案の実施形態の全体斜視図。
【図２】同使用状態の説明図。
【考案を実施するための形態】
【００１４】
次に本考案の実施形態について説明する。実施形態に示した荷崩れ防止ベルトは、連結リング体１と、第一ベルト体２と、第二ベルト体３とで構成されものである。
【００１５】
連結リング体１は相応の強度を有する矩形リングで形成されたものである。ポリプロピレン繊維或いはナイロン繊維の織物で形成した第一ベルト体２及び第二ベルト体３を連結するものである。
【００１６】
第一ベルト体２は、全長を１ｍ以下とし、基端を前記連結リング体１に連結したもので、特にベルト表面における先端側部分に折返係着部２１を形成し、基端側に受け係着部２２を形成したものである。
【００１７】
前記の両係着部は、雄面ファスナー部材又は雌面ファスナー部材のいずれかを一方に、他方に逆の部材を縫着して形成したもので、折返係着部２１は、第一ベルト体２の長さの１／３程度としてなる。
【００１８】
第二ベルト体３は、ベルト本体３１と係止用リング体３２と調整金具体３３とで構成されるもので、係止用リング体３２は、前記連結リング体１と同様に矩形リングであり、調整金具体３３は、矩形リングで且つ二列孔を設けたものである。
【００１９】
ベルト本体３１は、全長を６ｍ程度としてその先端を係止用リング体３２に連結し、基端側を連結リング体１に挿通して折り返すと共に、ベルト本体３１の途中部分を蛇行挿着（二列孔に連続して挿通する）した調整金具体３３の中央軸部に、前記折り返し部分の基端を連結してなるものである。
【００２０】
従って第二ベルト体３は、調整金具体３３の位置をずらして折り返し部分の長さを調整することで、そのベルト長さが調整できるものである。
【００２１】
そこで前記の荷崩れ防止ベルトは、パレットＡ等に積載された荷物群Ｂを結束する際に、予めその結束長に対応して、調整金具体３３を概ねの位置にずらしておき、そしてベルトを荷物群Ｂに回し、第一ベルト体２の先端部分を係止用リング体に挿通して折り返して荷物群Ｂを確りとベルトで抱持した状態で、折返係着部２１を、受け係着部２２のいずれかの面と接合させてベルトを結着し、荷物群Ｂの結束を実現する。
【００２２】
特に第一ベルト体２は、その先端の１／３（約３０ｃｍ）程度を折り返し、第二ベルト体３は、調整金具体３３を連結リング体１に近接すると、約６ｍの長さとなり、ベルトの最大結束可能長さは約６．７ｍ程度となり、一般に自動倉庫に使用される積載パレットの周囲長と一致し、積載荷物の周囲長がそれより小さいので、適宜調整金具体３３の位置をずらすことで、全て対応できるものである。
【符号の説明】
【００２３】
１        連結リング体
２        第一ベルト体
２１      折返係着部
２２      受け係着部
３        第二ベルト体
３１      ベルト本体
３２      係止用リング体
３３      調整金具体
Ａ        パレット
Ｂ        荷物群
【図１】
0003172417.tif 000003
【図２】
0003172417.tif 000004